(57)【要約】【課題】  締結手段を用いることなく支柱への取り付けや支柱からの取り外し作業等に要する時間を短縮化でき，製造コストを削減できる簡易な構成の根巻構成部材，根巻ブロック，及び根巻を提供すること。【解決手段】  基部と凹状嵌合部と凸状嵌合部と段差部とを有し，前記基部は，支柱挿入孔を設け，前記支柱挿入孔内面から放射方向に延在しており，前記凹状嵌合部と前記凸状嵌合部は，前記支柱挿入孔の周方向に交互に設けてあり，前記段差部は，前記凹状嵌合部に位置し前記支柱挿入孔内面から放射方向に階段状をなしていることを特徴とする根巻構成部材，前記根巻構成部材を前記支柱挿入孔の周方向に複数に扇型形状に分割した根巻ブロック，及び対をなす前記根巻構成部材が，前記支柱挿入孔の周方向で前記凹状嵌合部を前記凸状嵌合部に凹凸嵌合させ，前記段差部を前記支柱挿入孔の放射方向で凹凸嵌合させてなることを特徴とする根巻。【選択図】  図４
2016204961.tif 000002
【特許請求の範囲】
【請求項１】
基部と凹状嵌合部と凸状嵌合部と段差部とを有する根巻構成部材であって，
前記基部は，支柱挿入孔を設け，前記支柱挿入孔内面から放射方向に延在しており，
前記凹状嵌合部と前記凸状嵌合部は，前記支柱挿入孔の周方向に交互に設けてあり，
前記段差部は，前記凹状嵌合部に位置し前記支柱挿入孔内面から放射方向に階段状をなしていること
を特徴とする根巻構成部材。
【請求項２】
前記段差部は，前記支柱挿入孔側の内面が高く外側が低くなっていることを特徴とする請求項１に記載の根巻構成部材。
【請求項３】
前記段差部は，前記支柱挿入孔側の内面が低く外側が高くなっていることを特徴とする請求項１に記載の根巻構成部材。
【請求項４】
請求項１乃至３のいずれかに記載の根巻構成部材は，前記支柱挿入孔の周方向に複数に扇型形状に分割した根巻ブロックを組み合わせたものであり，
前記根巻ブロックは，前記凹状嵌合部の両端に前記凸状嵌合部を配置した扇型形状であることを特徴とする根巻構成部材。
【請求項５】
支柱を地中内に支える根巻であって，
前記支柱の長さ方向で凹凸嵌合して組み立てる対をなす根巻構成部材を有し，
前記根巻構成部材は，基部と凹状嵌合部と凸状嵌合部と段差部とを有し，
前記基部は，支柱挿入孔を設け，前記支柱挿入孔内面から放射方向に延在しており，
前記凹状嵌合部と前記凸状嵌合部は，前記支柱挿入孔の周方向に交互に設けてあり，
前記段差部は，前記凹状嵌合部に位置し前記支柱挿入孔内面から放射方向に階段状をなしており，
前記対をなす根巻構成部材は，前記支柱挿入孔の周方向で前記凹状嵌合部を前記凸状嵌合部に凹凸嵌合させ，前記段差部を前記支柱挿入孔の放射方向で凹凸嵌合させてなること
を特徴とする根巻。
【請求項６】
基部と凹状嵌合部と凸状嵌合部と段差部とを有する根巻ブロックであって，
前記基部は，支柱挿入孔を規定し，前記支柱挿入孔内面から放射方向に延在しており，
前記凹状嵌合部と前記凸状嵌合部は，前記凹状嵌合部の両端に前記凸状嵌合部を配置して前記支柱挿入孔の周方向に設けてあり，
前記段差部は，前記凹状嵌合部に位置し前記支柱挿入孔内面から放射方向に階段状をなしていること
を特徴とする根巻ブロック。
【発明の詳細な説明】
【技術分野】
【０００１】
本発明は，電信柱，交通信号，道路標識等の支柱を地面に設置するにあたり，支柱が傾斜または転倒しないように，支柱の一端部を取り巻き地中に埋設される根巻構成部材，根巻ブロック及び根巻に関する。
【背景技術】
【０００２】
従来より，電柱等の支柱の一端部を地中に埋設し，支柱を地面へ安定して直立させておくために種々の根巻が利用されている。例えば，特許文献１，２は，根巻の一例である根巻構造体を開示している。この根巻用構造体は，一対の半円筒の筒状ブロックを２組備え，一方の組の筒状ブロックと他方の組の筒状ブロックとが，支柱の長手方向に連結される構成である。また，２組の筒状ブロックは，その環状端面の周方向に複数の貫通孔を備え，一方の対の円筒状に当接された筒状ブロックの当接部と，他方の対の円筒状に当接された筒状ブロックの当接部とが，周方向に関し一致しない位置関係において，長手方向に延びる接続棒を介し２組の筒状ブロックが結合される構成である。
【０００３】
特許文献３，４が開示される根巻の他の例である根巻装置は，装着される支柱の周方向に，緊結（締結）手段により互いに緊結される複数の根巻ブロックを備える構成である。
【先行技術文献】
【特許文献】
【０００４】
【特許文献１】特開２０１０−１６３７６１号公報
【特許文献２】特開平１０−１４０５８６号公報
【特許文献３】特許第５５３４５９６号公報
【特許文献４】特開２００７−２９１７３６号公報
【発明の概要】
【発明が解決しようとする課題】
【０００５】
しかしながら，特許文献１乃至４に開示される根巻は，接続棒や緊結（締結）手段等の締結手段を用いて筒状ブロック同士や根巻ブロック同士を締結する構成であるため，根巻の設置作業及び解体作業等の施工作業の簡素化や，施工作業に要する時間のさらなる短縮化が難しい。また，根巻に加え，筒状ブロック同士又は根巻ブロック同士を締結するための部材が必要となるため，製造コストの削減が難しい。
【０００６】
そこで，本発明は，締結手段を用いることなく施工作業の簡素化や，施工作業に要する時間を短縮化でき，製造コストを削減できる根巻，根巻を構成する根巻構成部材，根巻構成部材を構成する根巻ブロックを提供することを目的とする。
【課題を解決するための手段】
【０００７】
上記課題を解決するための本発明の根巻構成部材は，基部と凹状嵌合部と凸状嵌合部と段差部とを有する根巻構成部材であって，前記基部は，支柱挿入孔を設け，前記支柱挿入孔内面から放射方向に延在しており，前記凹状嵌合部と前記凸状嵌合部は，前記支柱挿入孔の周方向に交互に設けてあり，前記段差部は，前記凹状嵌合部に位置し前記支柱挿入孔内面から放射方向に階段状をなしていることを特徴とする。
【０００８】
本発明の根巻構成部材の前記段差部は，前記支柱挿入孔側の内面が高く外側が低くなっていることを特徴とする。
【０００９】
本発明の根巻構成部材の前記段差部は，前記支柱挿入孔側の内面が低く外側が高くなっていることを特徴とする。
【００１０】
本発明の根巻構成部材は，前記支柱挿入孔の周方向に複数に扇型形状に分割した根巻ブロックを組み合わせたものであり，前記根巻ブロックは，前記凹状嵌合部の両端に前記凸状嵌合部を配置した扇型形状であることを特徴とする。
【００１１】
上記課題を解決するための本発明は，支柱を地中内に支える根巻であって，前記支柱の長さ方向で凹凸嵌合して組み立てる対をなす根巻構成部材を有し，前記根巻構成部材は，基部と凹状嵌合部と凸状嵌合部と段差部とを有し，前記基部は，支柱挿入孔を設け，前記支柱挿入孔内面から放射方向に延在しており，前記凹状嵌合部と前記凸状嵌合部は，前記支柱挿入孔の周方向に交互に設けてあり，前記段差部は，前記凹状嵌合部に位置し前記支柱挿入孔内面から放射方向に階段状をなしており，前記対をなす根巻構成部材は，前記支柱挿入孔の周方向で前記凹状嵌合部を前記凸状嵌合部に凹凸嵌合させ，前記段差部を前記支柱挿入孔の放射方向で凹凸嵌合させてなることを特徴とする。
【００１２】
上記課題を解決するための本発明は，基部と凹状嵌合部と凸状嵌合部と段差部とを有する根巻ブロックであって，前記基部は，支柱挿入孔を規定し，前記支柱挿入孔内面から放射方向に延在しており，前記凹状嵌合部と前記凸状嵌合部は，前記凹状嵌合部の両端に前記凸状嵌合部を配置して前記支柱挿入孔の周方向に設けてあり，前記段差部は，前記凹状嵌合部に位置し前記支柱挿入孔内面から放射方向に階段状をなしていることを特徴とする。
【００１３】
なお，本明細書において放射方向とは，根巻が備える支柱挿入孔の中心を原点ＯとするＸ軸，Ｙ軸，Ｚ軸の直交座標としたときの座標系を用いて規定され，ＸＹ平面上で原点Ｏから半直線が延びる方向を意味する。
【００１４】
また，扇型形状は，平面視で所定の半径を有する円の２つの半径と，当該２つの半径の間に延在する単一の円弧とにより規定される形状を意味するのみならず，当該２つの半径と，当該２つの半径の間に延在する２つの円弧とにより規定される形状をも含む。さらに，前述する１又は２つの円弧が，単一の曲率半径ではなく，複数の曲率半径を有する曲線や多角形を構成する直線で規定される形状をも含む。
【発明の効果】
【００１５】
本発明によれば，締結手段を用いることなく，根巻が備える対の根巻構成部材同士並びに根巻構成部材を構成する根巻ブロック同士は，周方向で凹状嵌合部及び凸状嵌合部を凹凸嵌合させ，段差部を放射方向で凹凸嵌合させるという簡易な構成で，周方向及び放射方向への両根巻構成部材及び根巻ブロックの相対移動を制限できるので，根巻の施工作業を容易かつ短時間で行うことができる。また，締結手段を用いないことから，製造コストの削減が可能である。
【図面の簡単な説明】
【００１６】
【図１】本発明の第１の実施形態に係る根巻が支柱に装着される一工程を示す分解斜視図である。
【図２】本発明の第１の実施形態に係る根巻を構成する根巻構成部材の斜視図である。
【図３】（ａ）は，図２の根巻構成部材の部分平面図であり，（ｂ）は，図３（ａ）の線Ａ−Ａに沿った断面図であり，（ｃ）は，図３（ａ）の根巻構成部材の部分正面図である。
【図４】本発明の第２の実施形態に係る根巻を構成する根巻構成部材の斜視図である。
【図５】図４の根巻構成部材を２つ組み合わせた根巻の斜視図である。
【図６】図４の根巻構成部材を構成する根巻ブロックの斜視図である。
【図７】（ａ）は，図６の根巻ブロックの平面図であり，（ｂ）は，図７（ａ）の線Ｂ−Ｂに沿った断面図であり，（ｃ）は，図６の根巻ブロックの正面図である。
【図８】本発明の第３の実施形態に係る根巻を構成する根巻構成部材の斜視図である。
【発明を実施するための形態】
【００１７】
以下，本発明の根巻構成部材，根巻，根巻ブロックを適用した実施形態について，図面を参照しつつ説明する。
【００１８】
〔第１の実施形態〕
図１は，本発明の第１の実施形態に係る根巻１００を用いて支柱Ｓに装着される一工程を示す分解斜視図，図２は，本発明の第１の実施形態に係る根巻１００を構成する根巻構成部材１２０の斜視図であり，図３（ａ）は，図２の根巻構成部材１２０の部分平面図であり，図３（ｂ）は，図３（ａ）の線Ａ−Ａに沿った断面図であり（二点鎖線は延長部１２５と基部１２１との境界を示す。），図３（ｃ）は，図３（ａ）の根巻構成部材１２０の部分正面図である。
【００１９】
図１に示すように，本発明の第１の実施形態に係る根巻１００を用いて支柱Ｓを設置する一例を説明する。電信柱，交通信号，道路標識等の支柱Ｓの設置場所に設けた穴Ｈには，支柱Ｓの基部側の径に対応させた細径の支持穴Ｈ１が形成され，その支持穴Ｈ１の上方には大径の設置穴Ｈ２が形成され，支持穴Ｈ１と設置穴Ｈ２との間に段差Ｄが形成されている。
【００２０】
本発明の第１の実施形態に係る根巻１００を用いて支柱Ｓを設置する場合，段差Ｄ上に図示しない敷石を敷設して根巻１００を設置する基礎を構築する。そして，根巻１００を段差Ｄ上に配置し，支柱Ｓを根巻１００の支柱挿入孔１０３に挿通し，支柱Ｓの基部側を支持穴Ｈ１で支え，且つ根巻１００で支柱Ｓの途中を支えることにより，支柱Ｓを植立して設置するものである。
【００２１】
以上のように，図１に示す本発明の第１の実施形態に係る根巻１００を用いて支柱Ｓを植立させるため，その植立された支柱Ｓには，捻じれ力や横方向へ倒れる力が加わることになり，図１に示す本発明の第１の実施形態に係る根巻１００には，これらの力に打ち勝つ構造が要求される。
【００２２】
以下に，前記要求を満たす根巻１００の具体例を説明する。図１に示す本発明の第１の実施形態に係る根巻１００は緊締手段を用いることなく支柱Ｓを設置するものであり，根巻１００は図１に示すように，対をなす根巻構成部材１１０，１２０を組み合わせることにより構成される。対をなす根巻構成部材１１０，１２０は凹凸嵌合する構造を採用することにより緊締手段を排除した構造であり，凹凸嵌合部の位置関係が異なるが，その他の構造は同一であるため，根巻構成部材１２０を例にとってその構成について説明する。
【００２３】
図２に示すように，根巻構成部材１２０は，基部１２１と凹状嵌合部１２２と凸状嵌合部１２３と段差部１２４とを有している。これらの基部１２１と凹状嵌合部１２２と凸状嵌合部１２３とは一体に構成されている。次に，これらを具体的に説明する。
【００２４】
図１に示す基部１２１は，中心側に支柱挿入孔１０３を備えて外形形状が正１６角形をなすリング形状として構成され，基部１２１は，支柱挿入孔１０３の内面１０３ａから放射方向で原点Ｏから離れる方向に延在しており，穴Ｈの段差Ｄ上に配置されて支柱Ｓを支える構造になっている。なお，図１の例では支柱挿入孔１０３の内面１０３ａの形状及び基部１２１の外形形状を正１６角形としたが，これに限られるものではなく，穴Ｈの段差Ｄ上に配置して支柱Ｓを支えられる構造であれば，いずれの形状であってもよいものである。
【００２５】
図１に示すように，基部１２１の支柱挿入孔１０３の内面１０３ａと支柱Ｓとの間には，クリアランスＣが存在している。このクリアランスＣの寸法範囲内で対をなす根巻構成部材１１０，１２０によって複数種の異なる径の支柱Ｓを支持して植立させることができることになる。
【００２６】
凹状嵌合部１２２と凸状嵌合部１２３は，支柱挿入孔１０３から放射方向に離れた位置で支柱挿入孔１０３の周方向（矢印Ｒ方向）に交互に設けられ（図２参照）ている。さらに，凹状嵌合部１２２及び凸状嵌合部１２３の内側と支柱挿入孔１０３との間には延長部１２５が支柱挿入孔１０３を取り囲むように立ち上げて形成されている。延長部１２５の内面１２５ａは，支柱挿入孔１０３の内面１０３ａとほぼ同一径になっている。
従って，図３（ｂ）に示すように，支柱Ｓは支柱挿入孔１０３に挿通されて基部１２１の内面１２１ａで支持されることに加えて，延長部１２５の内面１２５ａでも支えられることになる。
【００２７】
凹状嵌合部１２２は，延長部１２５の立ち上がりの高さよりも−Ｚ軸方向（支柱Ｓの長さ方向下方）に凹んだ構造に形成され，凸状嵌合部１２３は，延長部１２５の立ち上がりの高さよりもＺ軸方向（支柱Ｓの長さ方向上方）に突出した構造に形成されている。
【００２８】
段差部１２４は，凹状嵌合部１２２の凹んだ構造と延長部１２５の立ち上がり部との構造により，支柱挿入孔１０３の内面１０３ａから放射方向に階段状に形成されている。
【００２９】
以上の構成により，対をなす根巻構成部材１１０，１２０は，支柱挿入孔１０３の周方向（矢印Ｒ方向）で凹状嵌合部１２２と凸状嵌合部１２３とが凹凸嵌合し，段差部１２４が放射方向で凹凸嵌合する。
【００３０】
図１に示す本実施形態の根巻構成部材１２０は，平面視で正１６角形の環状の一体成形品である。根巻構成部材１２０の中央には，支柱ＳがＺ軸方向（長さ方向）に挿通できるように寸法付けされた支柱挿入孔１０３が設けられている。支柱挿入孔１０３を規定する根巻構成部材１２０の内面１２０ａは，原点Ｏを外心とする仮想外周円上で，その周方向で等間隔に配置される頂点同士を接続する平面により構成されている。同様に，図１に示す根巻構成部材１２０の外面１２０ｂも，原点Ｏを外心とする仮想外周円上で，その周方向で等間隔に配置される頂点同士を接続する平面により構成されている。組み合わされた本実施形態の根巻１００は，１６の頂点と，１６の面により内面１２０ａ及び外面１２０ｂが構成され，内面１２０ａ，外面１２０ｂともに正１６角形である。また，内面１２０ａを構成する各頂点と，外面１２０ｂを構成する各頂点とは，放射方向に整合している。なお，図１に示す例では，根巻構成部材１２０の外面１２０ｂ及び内面１２０ａは平面視で正１６角形の環状としたが，正１６角形の形状に限られるものではない。
【００３１】
さらに，図３（ａ）乃至(ｃ)に示すように，基部１２１の原点Ｏに近い部位には，Ｚ軸方向（支柱Ｓの長さ方向上方）に突出し，図３（ｂ）の線Ａ−Ａ（放射方向）に沿った断面視において矩形状の延長部１２５が周方向全域に亘り設けられている。さらに，延長部１２５は，平面視において，周方向に関し等角度間隔の頂点間を接続する面から構成される内面１２５ａ及び外面１２５ｂを有する。
【００３２】
段差部１２４は，延長部１２５の上面１２５ｃ及び外面１２５ｂと，凹状嵌合部１２２の上面１２２ｃから成り，図３（ｂ）に示すように，上面１２５ｃ，１２２ｃの高さが異なる階段状をなしている。段差部１２４は図３において波線で示している。延長部１２５の上面１２５ｃからＺ軸方向（支柱Ｓの長さ方向上方）に関し突出している凸状嵌合部１２３の上面１２３ｃまでの長さ寸法（凸状嵌合部１２３の内面１２３ａのＺ軸方向の長さ寸法）は，凹状嵌合部１２２の上面１２２ｃから延長部１２５の上面１２５ｃまでのＺ軸方向に関する長さ寸法（延長部１２５の外面１２５ｂのＺ軸方向の長さ寸法）と同じであり，基部１２１のＺ軸方向に関する長さ寸法（基部１２１の外面１２１ｂの長さ寸法）と同じである。なお，各Ｚ軸方向の長さ寸法は，根巻構成部材１１０，１２０が，周方向及び放射方向に凹凸嵌合できればよく，同一であることに限られるものではない。
【００３３】
図３（ａ）に示すように，凹状嵌合部１２２は，延長部１２５の外面１２５ｂと，基部１２１の上面１２１ｃと，周方向で隣り合う凸状嵌合部１２３の２つの対向する側面１２３ｄにより規定される。なお，図３（ａ）（ｂ）に示すように，凹状嵌合部１２２の上面１２２ｃは，基部１２１の凸状嵌合部及び延長部が設けられた部分以外の上面であって，基部１２１の上面１２１ｃと同一範囲を示す。すなわち，平面視で台形状の領域が周方向に２つ連続して配置されている構成である。なお，凹状嵌合部１２２の平面視の形状は，台形状に限られるものではない。
【００３４】
さらに，基部１２１には，平面視で台形状の４つの凸状嵌合部１２３が周方向（矢印Ｒ方向）に等間隔に設けられ，基部１２１からＺ軸方向上方（支柱Ｓの長さ方向上方）に突出する。凸状嵌合部１２３は，凹状嵌合部１２２を挟み，周方向に関し互いに等間隔に配置されている。凸状嵌合部１２３は，凹状嵌合部１２２を規定する２つの側面１２３ｄと，１２３ｄとを備える。なお，４つの凸状嵌合部１２３及び凹状嵌合部１２２を等間隔に配置したが，このような等間隔に配置する構造に限られるものではなく，その個数に限られるものではない。
【００３５】
また，凸状嵌合部１２３は，内面１２３ａ及び外面１２３ｂと，放射方向に延びる２つの側面１２３ｄ，１２３ｄと，上面１２３ｃとにより規定される。
【００３６】
上記構成とすることにより，図１に示すように，根巻構成部材１１０の一の凹状嵌合部１２２を規定する２つの対向する側面１２３ｄの領域には，対をなす根巻構成部材１１０の一の凸状嵌合部１１３が嵌合する。
【００３７】
〔施工方法〕
次に，図１に示す本発明の第１の実施形態に係る根巻１００を用いて支柱Ｓを設置する場合を説明する。支柱Ｓの設置場所には，支柱Ｓの基部側の径に対応させた細径の支持穴Ｈ１が形成され，その支持穴Ｈ１の上方に大径の設置穴Ｈ２が形成され，支持穴Ｈ１と設置穴Ｈ２との間に段差Ｄが形成され，その段差Ｄ上に敷石を敷設して対をなす根巻構成部材１１０，１２０を設置するための基礎を形成する。
【００３８】
次に，下方の根巻構成部材１２０の凹状嵌合部１２２の凹み及び凸状嵌合部１２３の凸部をＺ軸方向（支柱Ｓの長さ方向上方）に向けて穴Ｈ２の段差Ｄ上に配置する。次に，上方の根巻構成部材１１０の凹状嵌合部１１２の凹み及び凸状嵌合部１１３の凸部を−Ｚ軸方向（支柱Ｓの長さ方向下方）に向け，且つ，上方の根巻構成部材１１０の凹状嵌合部１１２を下方の根巻構成部材１２０の凸状嵌合部１２３に位置合わせするとともに，上方の根巻構成部材１１０の凸状嵌合部１１３を下方の根巻構成部材１２０の凹状嵌合部１２２に位置合わせし，上方に位置する根巻構成部材１１０を−Ｚ軸方向（支柱Ｓの長さ方向下方）に下ろして下方の根巻構成部材１２０に凹凸嵌合させる。
【００３９】
一対の根巻構成部材１１０，１２０を凹凸嵌合させ，根巻１００を構成した状態を詳細に説明する。上方の根巻構成部材１１０の凸状嵌合部１１３は，周方向の２つの側面１１３ｄが下方の根巻構成部材１２０の凹状嵌合部１２２の周方向で対向する２つの側面１２３ｄに当接して，周方向への動きが規制される。さらに，下方の根巻構成部材１２０の凸状嵌合部１２３は，周方向の２つの側面１２３ｄが上方の根巻構成部材１１０の凹状嵌合部１１２の周方向で対向する２つの側面１１３ｄに当接して，周方向への動きが規制される。
【００４０】
さらに，上方の根巻構成部材１１０の段差部１１４は，凹状嵌合部１１２の凹んだ構造と延長部１１５の立ち上がり部との構造により，支柱挿入孔１０３の内面１０３ａから放射方向に階段状に形成され，下方の根巻構成部材１２０の段差部１２４は，凹状嵌合部１２２の凹んだ構造と延長部１２５の立ち上がり部との構造により，支柱挿入孔１０３の内面１０３ａから放射方向に階段状に形成されているため，上方の根巻構成部材１１０の凸状嵌合部１１３の内面１１３ａと下方の根巻構成部材１２０の延長部１２５の外面１２５ｂが当接し，上方の根巻構成部材１１０の延長部１１５の外面１１５ｂ（図示せず）と下方の根巻構成部材１２０の凸状嵌合部１２３の内面１２３ａが当接する。
【００４１】
すなわち，上方の根巻構成部材１１０の段差部１１４と下方の根巻構成部材１２０の段差部１２４とが凹凸嵌合すると共に，上方の根巻構成部材１１０の延長部１１５と下方の根巻構成部材１２０の凸状嵌合部１２３が凹凸嵌合することにより，上方の根巻放射方向への動きが規制される。
以上の構成により，一対の根巻構成部材１１０，１２０を凹凸嵌合させることにより，根巻１００が構成される。
【００４２】
次に，支柱Ｓを垂直に支えて穴Ｈ内に下ろしながら，支柱Ｓを一対の根巻構成部材１１０，１２０の支柱挿入孔１０３内に挿通し，さらにその下端部を細径の支持穴Ｈ１内に挿入し，支柱Ｓの基部側を支持穴Ｈ１で支え，且つ根巻１００で支柱Ｓの途中を支えることにより，支柱Ｓを植立して設置する。そして，根巻構成部材１１０の内面１１０ａ及び根巻構成部材１２０の内面１２０ａと支柱Ｓとの間にクリアランスＣが存在する場合，支柱Ｓと根巻１００の間に砕石等の締堅め材料を流入する。なお，締堅め材料は砕石に限られるものではない。
【００４３】
以上のように，上方の根巻構成部材１１０の凸状嵌合部１１３が下方の根巻構成部材１２０の凹状嵌合部１２２に嵌合し，下方の根巻構成部材１２０の凸状嵌合部１２３が上方の根巻構成部材１１０の凹状嵌合部１１２に嵌合するとともに，上方の根巻構成部材１１０の段差部１１４と下方の根巻構成部材１２０の段差部１２４が凹凸嵌合することにより，根巻１００を構成し，一対の根巻構成部材１１０，１２０は互いに周方向及び放射方向への動きが規制される。
したがって，根巻構成部材１１０の内面１１０ａ及び根巻構成部材１２０の内面１２０ａに支柱Ｓを当接させて，支柱Ｓを一対の根巻構成部材１１０，１２０で支えている場合，支柱Ｓから周方向への捩じり力を受けた場合でも，その捩じり力で一対の根巻構成部材１１０，１２０の嵌合状態が解除されることがなく，支柱Ｓを確実に植立させることができる。
【００４４】
さらに，上方の根巻構成部材１１０の段差部１１４と下方の根巻構成部材１２０の段差部１２４とが，支柱挿入孔１０３の内面１０３ａから放射方向で凹凸嵌合するため，根巻構成部材１２０の基部１２１からＺ軸方向（支柱Ｓの長さ方向上方）に立ち上がった延長部１２５，そして根巻構成部材１１０の延長部１１５から基部１１１の内面に支柱Ｓを当接させて，支柱Ｓを一対の根巻構成部材１１０，１２０で支えている場合，支柱Ｓに横方向へ倒れようとする力が加わった場合でも，その力で一対の根巻構成部材１１０，１２０の嵌合状態が解除されることがなく，支柱Ｓを確実に植立させることができる。なお，第１の実施形態では２つの根巻構成部材１１０，１２０を組み合わせることにより一の根巻１００を形成しているが，さらに根巻構成部材を重ねることもでき，根巻構成部材の数量はこれに限られない。
【００４５】
さらに，図１に示すように，根巻構成部材１１０の内面１１０ａ及び根巻構成部材１２０の内面１２０ａと支柱Ｓとの間にクリアランスＣが存在する場合，このクリアランスＣの寸法範囲内で複数種の異なる径の支柱Ｓを支持して植立させることができる。
【００４６】
さらに，クリアランスＣが存在する場合であっても，根巻１００のＺ軸方向（支柱Ｓの長さ方向）での厚みが確保されているので，このクリアランスＣの寸法範囲内で根巻１００の厚みを利用して支柱Ｓを支持して植立させることができる。
このクリアランスＣは，支柱Ｓと根巻１００が一体性を保つことができる範囲であればよい。このクリアランスＣについて例を挙げるならば，根巻構成部材１１０，１２０の支柱挿入孔１０３の直径の１０％程度がクリアランスの許容範囲であり，支柱挿入孔の直径を５０ｃｍとすると，クリアランスＣは５ｃｍ程度であり，支柱Ｓの直径が４０ｃｍ程度となるが，これらの数値に限られるものではない。
【００４７】
また，支柱Ｓと根巻１００の間に砕石等の締堅め材料を流入することにより，径の異なる支柱Ｓを支持することができる。さらに，支柱Ｓと根巻１００の間に砕石等の締堅め材料を流入することにより支柱Ｓと根巻１００の一体性を高め，支柱Ｓから横方向へ倒れようとする力が加わった場合でも，砕石等が緩衝剤となって根巻１００にかかる負荷を軽減することができる。
【００４８】
さらに，一対の根巻構成部材１１０，１２０を予め組み合わせて穴Ｈ内の段差Ｄ上に設置する，或いは下方の根巻構成部材を予め段差Ｄ上に配置し次に上方の根巻構成部材を下方の根巻構成部材に凹凸嵌合させる工程を経ることにより，一対の根巻構成部材からなる根巻の設置作業が完了するので，根巻の設置作業を簡素することができる。さらに，一対の根巻構成部材１１０，１２０を凹凸嵌合させるだけで支柱Ｓを支えて植立させることができるため，一対の根巻構成部材１１０，１２０の相互間を締結する緊締手段を用いることがなく，根巻の設置作業を簡略化することができる。さらに，緊締手段は不要であるため，根巻の設置作業に要する部品点数を減らすことができる。
【００４９】
〔第２の実施形態〕
次に，本発明の第２の実施形態を図に基づいて詳細に説明する。図４は，根巻構成部材２０の分解斜視図であり，図５は，図４の根巻構成部材１０，２０を組み合わせた根巻１の斜視図であり，図６は，図４の根巻構成部材２０を構成する根巻ブロック２１の斜視図であり，図７（ａ）は，図４の根巻ブロック２１の平面図であり，図７（ｂ）は，図７（ａ）の線Ｂ−Ｂに沿った断面図であり（二点鎖線は延長部２７と基部２２との境界を示す），図７（ｃ）は，図４の根巻ブロック２１の正面図である。
【００５０】
図５に示す第２の実施形態における対をなす根巻構成部材１０，２０は，図１に示す対をなす根巻構成部材１１０，１２０に対応するものであって，緊締手段を用いることなく支柱Ｓを支持する構成であることが第１の実施形態と共通するものであるが，図４〜図７に示す第２の実施形態に係る対をなす根巻構成部材１０，２０はそれぞれ複数の根巻ブロック１１，２１を組み合わせることにより構築した構成が図１に示す第１の実施形態と異なっている。以下，具体的に説明する。
【００５１】
根巻１は，図５に示すように，対をなす根巻構成部材１０，２０を組み合わせることにより構成される。対をなす根巻構成部材１０，２０は凹凸嵌合する構造を採用することにより緊締手段を排除した構造であり，凹凸嵌合部の位置関係が異なるが，その他の構造は同一であるため，根巻構成部材２０を例にとってその構成について説明する。
【００５２】
図４に示すように，根巻構成部材２０は，図６に示す根巻ブロック２１を４つ組み合わせることにより構成されている。根巻構成部材２０は，一体成形品である第１の実施形態の根巻構成部材１２０を，平面視で，原点Ｏから凸状嵌合部の中心部の頂点に向かって放射方向に分断したものであって，９０度ごとに扇型形状に４分割している。さらに，根巻構成部材２０を扇型形状の根巻ブロック２１に分割する際に，複数の扇型形状の根巻ブロック２１の内面２１ａを，支柱挿入孔３の一部をなす円弧形状に形成している。
【００５３】
すなわち，複数の根巻ブロック２１を環状に配置すると，４つの根巻ブロック２１が図１の根巻構成部材１２０に対応する形状をなして一の根巻構成部材２０を構築することになる。さらに，根巻構成部材１２０を分割した複数の根巻ブロック２１の内面２１ａを円弧形状に形成しているため，複数の扇型形状の根巻ブロック２１を環状に組み合わせることにより，複数の扇型形状の根巻ブロック２１の内面２１ａの組み合せにより支柱挿入孔３が形成される。
【００５４】
なお，図４に示す例では根巻ブロック２１を扇型形状，根巻ブロック２１の内面２１ａを円弧形状としたがこれに限られるものではなく，根巻ブロックが構成する根巻１が支柱を支えられる構造であれば，いずれの形状であっても良いものである。また，９０度ごとに４分割としているが，これに限られるものではなく，各根巻ブロックを凹凸嵌合して支柱を支える構造であれば，いずれの分割数であってもよいものである。また，図４に示す例では４つの根巻ブロック２１は同一の構造であるが，各根巻ブロックを凹凸嵌合して支柱を支える構造であれば，各根巻ブロックの構造は同一でなくともよい。また，図４に示す例では平面視で，原点Ｏから凸状嵌合部の中心部の頂点に向かって放射方向に分断したものであるが，各根巻ブロックを凹凸嵌合して支柱を支える構造であれば，いずれの位置で分断してもよいものである。
【００５５】
図６に示すように，根巻ブロック２１は，基部２２と凹状嵌合部２３と凸状嵌合部２４，２５と段差部２６とを有している。これらの基部２２と凹状嵌合部２３と凸状嵌合部２４，２５とは一体に構成されている。次に，これらを具体的に説明する。
【００５６】
凹状嵌合部２３と凸状嵌合部２４，２５とは，支柱挿入孔３から放射方向に離れた位置で支柱挿入孔３を周方向（矢印Ｒ方向）に囲むように設けられ（図６参照），凸状嵌合部２４と凸状嵌合部２５は，扇型形状の根巻ブロック２１の周方向末端にそれぞれ配置し，凹状嵌合部２３は，末端に位置する２つの凸状嵌合部２４と２５との間に配置している。これらの凹状嵌合部２３と凸状嵌合部２４，２５とは，上述した位置関係を保って根巻構成部材２０を４分割した根巻ブロック２１に共通して設けている。
【００５７】
さらに，凹状嵌合部２３及び凸状嵌合部２４，２５の内側と支柱挿入孔３との間には延長部２７が支柱挿入孔３を取り囲むように立ち上げて形成されている。延長部２７の内面２７ａは，支柱挿入孔３の内面３ａとほぼ同一径になっている。従って，支柱は基部２２の支柱挿入孔３に挿通されて基部２２の内面２２ａで支持されることに加えて，延長部２７の内面２７ａでも支えられることになる。
【００５８】
凹状嵌合部２３は，延長部２７の立ち上がりの高さよりも−Ｚ軸方向（支柱の長さ方向下方）に凹んだ構造に形成され，凸状嵌合部２４，２５は，延長部２７の立ち上がりの高さよりもＺ軸方向（支柱の長さ方向上方）に突出した構造に形成されている。
段差部２６は，凹状嵌合部２３の凹んだ構造と延長部２７の立ち上がり部との構造により，支柱挿入孔３の内面３ａから放射方向に階段状に形成されている。
【００５９】
図７（ｂ）に示されるように，基部２２の原点Ｏに近い部位には，Ｚ軸方向に突出し，線Ｂ−Ｂ（放射方向）に沿った断面視において矩形状の延長部２７が周方向全域に亘り設けられている。さらに，延長部２７は，平面視において，周方向に関し等角度間隔の頂点間を接続する面から構成される内面２７ａ及び外面２７ｂを有する。従って，根巻ブロック２１の内面２１ａは，Ｚ軸方向（支柱の長さ方向上方）に互いに連続する基部２２の内面２２ａ及び延長部２７の内面２７ａにより構成される。
【００６０】
段差部２６は，延長部２７の上面２７ｃ及び外面２７ｂと，凹状嵌合部２３の上面２３ｃから成り，段差部２６は図７において波線で示している。図７（ｂ）に示すように，上面２７ｃ，２３ｃの高さが異なる階段状をなしている。延長部２７の上面２７ｃからＺ軸方向（支柱の長さ方向上方）に関し突出している凸状嵌合部２４，２５の上面２４ｃ，２５ｃまでの長さ寸法（凸状嵌合部２４，２５の内面２４ａ，２５ａのＺ軸方向の長さ寸法）は，凹状嵌合部２３の上面２３ｃから延長部２７の上面２７ｃまでのＺ軸方向に関する長さ寸法（延長部２７の外面２７ｂのＺ軸方向の長さ寸法）と同じであり，基部２２のＺ軸方向に関する長さ寸法（基部２２の外面２２ｂの長さ寸法）と同じである。なお，各Ｚ軸方向の長さ寸法は，根巻構成部材１０，２０が，周方向及び放射方向に凹凸嵌合できればよく，同一であることに限られるものではない。
【００６１】
図７（ａ）に示すように，凹状嵌合部２３は，延長部２７の外面２７ｄと，基部２２の上面２２ｃと，周方向で対向する側面２４ｄ，２５ｄにより規定される。なお，図７（ａ）（ｂ）に示すように，凹状嵌合部２３の上面２３ｃは，基部２２の凸状嵌合部及び延長部が設けられた部分以外の上面であって，基部２２の上面２２ｃと同一範囲を示す。すなわち，平面視で台形状の領域が周方向に２つ連続して配置されている構成である。なお，凹状嵌合部２３の平面視の形状は，台形状に限られるものではない。
【００６２】
さらに，基部２２には，平面視で台形状の２つの凸状嵌合部２４，２５が設けられ，基部２２の上面２２ｃからＺ軸方向上方に突出する。図７（ａ）に示されるように，凸状嵌合部２４，２５は，凹状嵌合部２３を挟み，周方向に関し互いに離間配置されている。凸状嵌合部２４，２５は，凹状嵌合部２３を規定する側面２４ｄ，２５ｄと，当接配置される他の根巻ブロックに面する端面２４ｅ，２５ｅとを備える。
【００６３】
また，凸状嵌合部２４は，内面２４ａ及び外面２４ｂと，放射方向に延びる側面２４ｄ及び端面２４ｅと，上面２４ｃとにより規定される。
凸状嵌合部２５は，内面２５ａ及び外面２５ｂと，放射方向に延びる側面２５ｄ及び端面２５ｅと，上面２５ｃとにより規定される。
【００６４】
凸状嵌合部２４と凸状嵌合部２５は，周方向に関する位置が異なるのみで，形状及び寸法は同じである。なお，凸状嵌合部２４と凸状嵌合部２５は，複数の根巻ブロックを組み合わせて根巻１を構成した際に周方向及び放射方向に凹凸嵌合できればよく，形状及び寸法が同一であることに限られるものではない。
【００６５】
上記説明した通り，基部２２上には，放射方向に関し原点Ｏから遠い部位に，凸状嵌合部２５，凹状嵌合部２３，凸状嵌合部２４が周方向に配置されている。さらに，基部２２の，放射方向に関し原点Ｏに近い部位に，延長部２７が設けられている。
【００６６】
なお，根巻ブロック２１の構造は，各ブロックの凹状嵌合部と凸状嵌合部が凹凸嵌合して周方向，及び，放射方向に動きが規制される構造であれば，いずれの形状であってもよいものである。
【００６７】
次に，４つの根巻ブロック２１を周方向に環状に配列し，一の根巻構成部材２０を形成する場合について具体的に説明する。図４に示すように，第１の根巻ブロック２１の凸状嵌合部２５の端面２５ｅは第２の根巻ブロック２１の凸状嵌合部２４の端面２４ｅと当接し，第１の根巻ブロック２１の凸状嵌合部２４の端面２４ｅは第４の根巻ブロック２１の凸状嵌合部２５の端面２５ｅと当接している。そして，第３の根巻ブロック２１の凸状嵌合部２５の端面２５ｅは第４の根巻ブロック２１の凸状嵌合部２４の端面２４ｅと当接し，第３の根巻ブロック２１の凸状嵌合部２４の端面２４ｅは第２の根巻ブロック２１の凸状嵌合部２５の端面２５ｅと当接している。
【００６８】
図４に示す根巻構成部材２０は，４つの根巻ブロックを環状に配置したものであり，平面視で正１６角形の環状である。その中央には，支柱がＺ軸方向（長さ方向）に挿通できるように寸法付けされた支柱挿入孔３が設けられている。支柱挿入孔３を規定する４つの根巻ブロック２１の内面２１ａは，原点Ｏを外心とする仮想外周円上で，その周方向で等間隔に配置される頂点同士を接続する平面により構成されている。同様に，４つの根巻ブロック２１の外面２１ｂも，原点Ｏを外心とする仮想外周円上で，その周方向で等間隔に配置される頂点同士を接続する平面により構成されている。従って，本実施形態の根巻１は，１６の頂点と，１６の面により内面３ａ及び外面３ｂが構成され，内面３ａ，外面３ｂともに正１６角形である。また，内面３ａを構成する各頂点と，外面３ｂを構成する各頂点とは，放射方向に整合している。なお，図４に示す例では，根巻構成部材２０を構成する環状に配置した４つの根巻ブロック２１の内面２１ａ及び外面２１ｂは平面視で正１６角形の環状としたが，正１６角形の形状に限られるものではない。
【００６９】
以上の構成により，図５に示すように，対をなす根巻構成部材１０，２０は，支柱挿入孔３の周方向（矢印Ｒ方向）で，根巻構成部材２０の第１の根巻ブロック２１の凹状嵌合部２３と根巻構成部材１０の第１の根巻ブロック１１の凸状嵌合部１４及び第４の根巻ブロック１１の凸状嵌合部１５とが凹凸嵌合し，根巻ブロック２１の段差部２６と根巻ブロック１１の図示しない段差部１６とが放射方向で凹凸嵌合する。
【００７０】
〔施工方法〕
次に，本発明の第２の実施形態に係る根巻を用いて支柱を設置する場合を説明する（図示せず）。支柱の設置場所には，支柱の基部側の径に対応させた細径の支持穴が形成され，その支持穴の上方に大径の設置穴が形成され，支持穴と設置穴との間に段差が形成され，その段差上に敷石を敷設して４つの根巻ブロック１１から構成される根巻構成部材１０及び４つの根巻ブロック２１から構成される２０を設置するための基礎を形成する。
【００７１】
次に，下方の第１の根巻ブロック２１の凹状嵌合部２３の凹み及び凸状嵌合部２４，２５の凸部をＺ軸方向（支柱の長さ方向上方）に向けて穴の段差上に配置する。そして，図４に示すように，第１の根巻ブロック２１の凸状嵌合部２５と，第２の根巻ブロック２１の凸状嵌合部２４が当接するように配置する。第２の根巻ブロック２１の凸状嵌合部２５と，第３の根巻ブロック２１の凸状嵌合部２４が当接するように配置する。第３の根巻ブロック２１の凸状嵌合部２５と，第４の根巻ブロック２１の凸状嵌合部２４が当接するように配置する。その結果，第４の根巻ブロック２１の凸状嵌合部２５と，第１の根巻ブロック２１の凸状嵌合部２４が当接し，４つの根巻ブロック２１が環状に配され，一の根巻構成部材２０を形成する。
【００７２】
次に，上方の第１の根巻ブロック１１の凹状嵌合部１３の凹み及び凸状嵌合部１４，１５の凸部を−Ｚ軸方向（支柱の長さ方向下方）に向け，且つ上方の第１の根巻ブロック１１の凹状嵌合部１３を下方の第１の根巻ブロック２１の凸状嵌合部２５及び第２の根巻ブロック２１の凸状嵌合部２４に位置合わせする。同時に，上方の第１の根巻ブロック１１の凸状嵌合部１４を下方の第１の根巻ブロック２１の凹状嵌合部２３に位置合わせし，上方の第１の根巻ブロック１１の凸状嵌合部１５を下方の第２の根巻ブロック２１の凹状嵌合部２３に位置合わせする。そして，上方に位置する第１の根巻ブロック１１を−Ｚ軸方向（支柱の長さ方向下方）に下ろして下方の第１の根巻ブロック２１及び第２の根巻ブロック２１に凹凸嵌合させる。
【００７３】
同様に，上方に位置する第２の根巻ブロック１１を−Ｚ軸方向（支柱の長さ方向下方）に下ろして下方の第２の根巻ブロック２１及び第３の根巻ブロック２１に凹凸嵌合させる。上方に位置する第３の根巻ブロック１１を支柱の長さ方向下方に下ろして下方の第３の根巻ブロック２１及び第４の根巻ブロック２１に凹凸嵌合させる。上方に位置する第４の根巻ブロック１１を−Ｚ軸方向（支柱の長さ方向下方）に下ろして下方の第４の根巻ブロック２１及び第１の根巻ブロック２１に凹凸嵌合させる。
なお，下方の４つの根巻ブロック２１を環状に配置し一の根巻構成部材２０を形成してから上方の根巻ブロック１１を配置する順序に限られるものではない。
【００７４】
図５に示す上下１組の根巻構成部材１０，２０を凹凸嵌合させた状態を詳細に説明する。上方の根巻構成部材１０の第１の根巻ブロック１１の凸状嵌合部１４の端面１４ｅは，第４の根巻ブロック１１の凸状嵌合部１５の端面１５ｅと当接している。上方の第１の根巻ブロック１１の凸状嵌合部１４の側面１４ｄは，下方の第１の根巻ブロックの凹状嵌合部２３の側面２５ｄと当接し，上方の第４の根巻ブロック１１の凸状嵌合部の側面１５ｄは下方の第１の根巻ブロック２１の凹状嵌合部２３の側面２４ｄと当接して，周方向への動きが規制される。
【００７５】
さらに，下方の根巻構成部材２０の第１の根巻ブロック２１の凸状嵌合部２４の端面２４ｅは，第４の根巻ブロック２１の凸状嵌合部２５の端面２５ｅと当接している。下方の根巻構成部材２０の第１の根巻ブロック２１の凸状嵌合部２５の端面２５ｅは，第２の根巻ブロック２１の凸状嵌合部２４の端面２４ｅと当接している。
【００７６】
下方の第１の根巻ブロック２１の凸状嵌合部２５の側面２５ｄは，上方の第１の根巻ブロックの凹状嵌合部１３の側面１４ｄと当接し，下方の第２の根巻ブロック２１の凸状嵌合部２４の側面２４ｄは上方の第１の根巻ブロック１１の凹状嵌合部１３の側面１５ｄと当接して，周方向への動きが規制される。
【００７７】
さらに，上方の根巻ブロック１１の段差部１６（図示せず）は，凹状嵌合部１３の凹んだ構造と延長部２７の立ち上がり部との構造により，支柱挿入孔３の内面３ａから放射方向に階段状に形成され，下方の根巻ブロック２１の段差部２６は，凹状嵌合部２３の凹んだ構造と延長部２７の立ち上がり部との構造により，支柱挿入孔３の内面３ａから放射方向に階段状に形成されているため，上方の根巻ブロック１１の凸状嵌合部１４の内面１４ａ及び凸状嵌合部１５内面１５ａと下方の根巻ブロック２１の延長部２７の外面２７ｂが当接し，上方の根巻ブロック１１の延長部１７の外面１７ｂと下方の根巻ブロック２１の凸状嵌合部２４の内面２４ａ及び凸状嵌合部２５の内面２５ａが当接する。
【００７８】
すなわち，上方の根巻ブロック１１の段差部１６と下方の根巻ブロック２１の段差部２６とが凹凸嵌合すると共に，上方の根巻ブロック１１の延長部１７と下方の根巻ブロック２１の凸状嵌合部２４，２５が凹凸嵌合することにより，放射方向への動きが規制される。
以上の構成により，８つの根巻ブロックを組み合わせ，凹凸嵌合させることにより，根巻１が構成される。
【００７９】
次に，支柱を垂直に支えて穴内に下ろしながら，支柱を１組の根巻ブロック１１，２０の支柱挿入孔３ａ内に挿通し，さらにその下端部を細径の支持穴内に挿入し，支柱の基部側を支持穴で支え，且つ根巻１で支柱の途中を支えることにより，支柱を植立して設置する。そして，基部２２及び支柱挿入孔３の内面３ａと支柱との間にクリアランスが存在する場合，支柱と根巻１の間に砕石等の締堅め材料を流入する。なお，締堅め材料は砕石に限られるものではない。
【００８０】
以上のように，下方の４つの根巻ブロック２１を環状に配置し，２つの隣り合う根巻ブロック２１の凸状嵌合部２４，２５が上方の根巻ブロック１１の凹状嵌合部１３に嵌合し，上方の２つの隣り合う根巻ブロック１１の凸状嵌合部１４，１５が下方の根巻ブロック２１の凹状嵌合部２３に嵌合することにより，それぞれ４つの根巻ブロックから形成される根巻構成部材１０，２０は１つの根巻１を形成し，互いに周方向，及び，放射方向への動きが規制される。
【００８１】
１組の根巻構成部材１０，２０が組み合わされると（図５参照），平面視で凹状嵌合部２３と凸状嵌合部１４，１５とが互い違いになり，すなわち，１組の根巻構成部材１０，２０の周方向の位相が，互いに４５度ずれた位置関係となる。
【００８２】
図５に示されるように，同一寸法の構造からなる８つの根巻ブロックは，２つの隣り合う根巻ブロック２１の凸状嵌合部２４，２５は上方の根巻ブロック１１の凹状嵌合部１３に隙間無く嵌合し，上方の２つの隣り合う根巻ブロック１１の凸状嵌合部１４，１５は下方の根巻ブロック２１の凹状嵌合部２３に隙間なく嵌合され，一の根巻構成部材を構成する。
【００８３】
なお，８つの各凹凸嵌合部及び段差部は隙間無く嵌合されることに限られるものではなく，互いに周方向，及び，放射方向に動きが規制される構造であればよい。同様に，周方向，及び，放射方向に動きが規制される構造であれば，各ブロックは同一寸法，同一構造に限られるものではない。また，根巻１を構成する根巻ブロックの数量は８つに限られるものではない。
【００８４】
したがって，第１の実施例に係る一体成形型の根巻構成部材から成る根巻に対して，４つの根巻ブロックから成る根巻であっても，根巻１の支柱挿入孔３の内面３ａ及び下方の各根巻ブロック２１の基部２２から上方に立ち上がった延長部２７の内面２７ａに支柱を当接させて，支柱を根巻１で支えている場合，支柱から周方向への捩じり力を受けた場合でも，その捩じり力で８つの根巻ブロックの嵌合状態が解除されることがなく，支柱を確実に植立させることができる。
【００８５】
さらに，上方の根巻ブロック１１の段差部１６と下方の根巻ブロック２１の段差部２６とが，支柱挿入孔３の内面３ａから放射方向で凹凸嵌合するため，根巻１の支柱挿入孔３の内面３ａ及び下方の各根巻ブロック２１基部２２から上方に立ち上がった延長部２７の内面に支柱を当接させて，支柱を根巻１で支えている場合，支柱に横方向へ倒れようとする力が加わった場合でも，その力で８つの根巻ブロックの嵌合状態が解除されることがなく，支柱を確実に植立させることができる。
【００８６】
さらに，下方の各根巻ブロック２１の基部２２及び支柱挿入孔３の内面３ａと支柱との間にクリアランスが存在する場合，このクリアランスの寸法範囲内で複数種の異なる径の支柱を支持して植立させることができる。
【００８７】
さらに，クリアランスが存在する場合であっても，根巻１の支柱の長さ方向での厚みが確保されているので，このクリアランスの寸法範囲内で根巻１の厚みを利用して支柱を支持して植立させることができる。
【００８８】
また，支柱と根巻１の間に砕石等の締堅め材料を流入することにより，径の異なる支柱を支持することができる。さらに，支柱と根巻１の間に砕石等の締堅め材料を流入することにより支柱と根巻１の一体性を高め，支柱から横方向へ倒れようとする力が加わった場合でも，砕石等が緩衝剤となって根巻１にかかる負荷を軽減することができる。
【００８９】
さらに，８つの根巻ブロックを予め組み合わせて穴内の段差上に設置する，或いは下方の４つの根巻ブロックを予め段差上に配置し次に上方の４つの根巻ブロックを下方の根巻ブロックに凹凸嵌合させる工程を経ることにより，８つの根巻ブロックからなる根巻の設置作業が完了するので，根巻の設置作業を簡素化することができる。
【００９０】
さらに，８つの根巻ブロックを凹凸嵌合させるだけで支柱を支えて植立させることができるため，８つの根巻ブロックの相互間を締結する緊締手段を用いることがなく，根巻の設置作業を簡略化することができる。さらに，緊締手段は不要であるため，根巻の設置作業に要する部品点数を減らすことができる。
【００９１】
さらに，第２の実施形態に係る８つの根巻ブロック１１，２１を製造する工程では，第１の実施形態に係る一体成形型の根巻構成部材を製造する工程に比べ，第１の実施形態に係る根巻構成部材を分割した構成としたことから，根巻ブロックの寸法が根巻構成部材に対して相対的に小さく，質量が相対的に軽量となる。そのため，根巻を施工する作業者が，容易に根巻ブロックを運搬することができる。また，根巻ブロックを製造するために必要な装置の小型化及び簡素化を実現できる。
【００９２】
さらに，支柱を設置した後に根巻ブロックを配置することも可能であり，一方で，支柱を設置したまま根巻ブロックを撤去することも可能であることから，根巻ブロックの一部にヒビが入るなどの経年劣化が見られた場合にも，一部を取り替えるだけでよく，大掛かりな作業が必要ない。
【００９３】
〔第３の実施形態〕
第３の実施形態に係る根巻を構成する根巻構成部材３０について図８を参照しつつ説明する。図８は，本発明の第３の実施形態に係る根巻を構成する根巻構成部材３０の分解斜視図である。
【００９４】
根巻構成部材３０を構成する根巻ブロック３１は第２の実施形態に係る根巻ブロック２１の変形例である。第２の実施形態に係る根巻ブロック２１の構造は，各ブロックの凹状嵌合部と凸状嵌合部が凹凸嵌合して周方向，及び，放射方向に動きが規制される構造であれば，いずれの形状であってもよいものであることは既に述べたが，根巻ブロック３１は根巻ブロック２１の凸状嵌合部２４，２５，凹状嵌合部２３，段差部２６，延長部２７の配置を変更した例である。
【００９５】
根巻ブロック３１は，基部３２と凹状嵌合部３３と凸状嵌合部３４，３５と段差部３６とを有している。基部３２は，支柱挿入孔３の内面３ａから放射方向で原点Ｏから離れる方向に延在している。凹状嵌合部３３と凸状嵌合部３４，３５は，支柱挿入孔３から放射方向に近い位置で支柱挿入孔３の周方向（矢印Ｒ方向）に交互に設けられている。さらに，凹状嵌合部３３及び凸状嵌合部３４，３５の外側には延長部３７が，凹状嵌合部３３及び凸状嵌合部３４，３５を取り囲むように立ち上げて形成されている。
【００９６】
図４に示す根巻ブロック２１は，延長部２７が凹状嵌合部２３及び凸状嵌合部２４，２５の内側で立ち上がっているため，段差部２６は支柱挿入孔３側が高く，外側が低くなっているが，これに対して，図８に示す根巻ブロック３１は，延長部３７が凹状嵌合部３３及び凸状嵌合部３４，３５の外側で立ち上がっているため，段差部３６は支柱挿入孔側が低く，外側が高くなっている。
【００９７】
したがって，第２の実施形態と同様に，８つの根巻ブロック３１を組み合わせることによって一の根巻を形成し，互いに周方向及び放射方向への動きが規制され，支柱を支えることができる。
なお，第２の実施形態に係る根巻ブロック２１及び第３の実施形態に係る根巻ブロック３１は，凹状嵌合部の両端に凸状嵌合部を配置した扇型形状であるが，根巻ブロックを組み合わせることにより支柱を支えることが出来る構成であれば，凸状嵌合部の両端に前記凹状嵌合部を配置した扇型形状であってもよいものである。
【００９８】
第１乃至第３の実施形態の根巻の支柱挿入孔の内面及び外面は，平面視で正１６角形状であるが，本発明はこの構成に限定されず，多角形や円形を含め，任意の形状に変更できることは言うまでもない。
【００９９】
さらに，凸状嵌合部の内面と，延長部の外面とは，組み合わせられる根巻ブロック同士の放射方向への移動を互いに係止できる限りにおいて，平面に限らず曲面等，任意の形状に適宜変更できる。同様に，根巻ブロック又は根巻構成部材の凸状嵌合部の側面と，組み合わされる他の根巻ブロック又は根巻構成部材に設けられている凸状嵌合部の側面とは，組み合わせられる対の根巻構成部材の周方向への移動を係止できる限りにおいて，平面に限らず曲面等，任意の形状に適宜変更できる。
【０１００】
また，本発明は，互いに組み合わされる２つの根巻構成部材を，同じ根巻ブロックから形成する構成に限定されない。例えば，一方の根巻構成部材のみは，その角度寸法が３６０度である一体成形品とすることも可能であるし，根巻ブロックの数が異なる根巻構成部材同士を，組み合わせて一つの根巻とすることも可能である。
【０１０１】
この発明は，その本質的特性から逸脱することなく数多くの形式のものとして具体化することができる。よって，上述した実施形態は専ら説明上のものであり，本発明を制限するものではないことは言うまでもない。
【符号の説明】
【０１０２】
Ｏ  原点
Ｓ  支柱
Ｒ  周方向
Ｈ  穴
１，１００  根巻
３，１０３  支柱挿入孔
３ａ，１０３ａ  内面
３ｂ，１０３ｂ  外面
１０，２０，３０，１１０，１２０  根巻構成部材
１１，２１，３１，４１  根巻ブロック
１２，２２，３２，４２，１１１，１２１  基部
１３，２３，３３，４３，４４，１１２，１２２  凹状嵌合部
１４，１５，２４，２５，３４，３５，４５，１１３，１２３  凸状嵌合部
１６，２６，３６，４６，１１４，１２４  段差部
１７，２７，３７，４７，１１５，１２５  延長部
【図１】
2016204961.tif 000003
【図２】
2016204961.tif 000004
【図３】
2016204961.tif 000005
【図４】
2016204961.tif 000006
【図５】
2016204961.tif 000007
【図６】
2016204961.tif 000008
【図７】
2016204961.tif 000009
【図８】
2016204961.tif 000010